(57)【要約】【課題】  無機偏光板を用いながらも、反射光による液晶ライトバルブ等の光学素子の損傷を回避し、かつ、液晶ライトバルブとプリズムとを近接して配置することができるプロジェクタを提供すること。【解決手段】  無機偏光板２ｒ、２ｇ、２ｂがそれぞれ３色の色光の光軸ＯＡに対して傾斜しているため、反射光である不要光が液晶パネル１ｒ、１ｇ、１ｂ等に影響を及ぼすことがない。また、無機偏光板２ｒ、２ｇ、２ｂが、クロスダイクロイックプリズム３に貼付されており、当該光学系のスペースが大きくなることはなく、クロスダイクロイックプリズム３と各液晶パネル１ｒ、１ｇ、１ｂとの距離を短く保てる。【選択図】図２
2006058341.tif 000002
【特許請求の範囲】
【請求項１】
偏光状態の変換を利用した変調によって異なる波長領域の像光をそれぞれ形成する複数の光変調装置と、
入射光の光軸方向に対して傾斜した複数の入射面を有し、前記複数の入射面からそれぞれ入射する前記異なる波長領域の像光を合成した合成光を形成するとともに、前記合成光を射出する射出面を有するプリズム状の合成光学系と、
前記合成光学系の前記複数の入射面上の少なくとも１つに支持され、前記像光中の所定偏光成分を透過させるとともに残りを反射する偏光素子と、
前記合成光学系によって得られた合成光を投影する投影光学系と、
を備えるプロジェクタ。
【請求項２】
前記偏光素子は、無機物質により構成される無機偏光板であることを特徴とする請求項１記載のプロジェクタ。
【請求項３】
前記偏光素子は、前記合成光学系の入射面に貼付されて固定されていることを特徴とする請求項１及び請求項２のいずれか一項記載のプロジェクタ。
【請求項４】
前記合成光学系は、直交する一対のダイクロイックミラー膜を内蔵し、前記複数の入射面からそれぞれ入射した前記像光に対して、前記一対のダイクロイックミラー膜によって、前記異なる波長領域ごとに反射及び透過のいずれかを選択的に行うことにより、前記像光の合成を行うことを特徴とする請求項１から請求項３のいずれか一項記載のプロジェクタ。
【請求項５】
前記複数の入射面及び射出面は、それぞれ入射光及び射出光の光軸に対する傾斜角度が略等しく、対向する面が互いに略平行であることを特徴とする請求項１から請求項４のいずれか一項記載のプロジェクタ。
【請求項６】
前記傾斜角度は４５°であることを特徴とする請求項５記載のプロジェクタ。
【請求項７】
前記複数の光変調装置は、透過光によって像光を形成する透過型の光変調装置であることを特徴とする請求項１から請求項６のいずれか一項記載のプロジェクタ。
【請求項８】
白色光を光源光として発生する光源装置と、
前記光源装置からの光源光を複数色の照明光として波長領域ごとに分割する光分割手段を含み、前記照明光を所定光路に沿って前記複数の光変調装置にそれぞれ導く光路変換光学系と、
をさらに備えることを特徴とする請求項１から請求項７のいずれか一項記載のプロジェクタ。
【請求項９】
前記光分割手段は、ダイクロイックミラー、クロスダイクロイックミラー及びダイクロイックミラー膜を内蔵するプリズムのうち少なくともいずれか１つを用いるものであることを特徴とする請求項８記載のプロジェクタ。
【請求項１０】
前記プリズムは、ドーブプリズムを貼り合わせたものであることを特徴とする請求項９記載のプロジェクタ。
【発明の詳細な説明】
【技術分野】
【０００１】
本発明は、プリズム状の光合成光学系によって液晶ライトバルブ等からの像光を合成するタイプのプロジェクタに関する。
【背景技術】
【０００２】
プロジェクタを用いて投影光を投射する際、各色（例えば、赤、緑、青）の液晶ライトバルブによって変調された像光をクロスプリズムによって合成することで投影光を形成するのが一般的である（例えば、特許文献１参照）。この際、像光中に存在する不要光を取り除くために液晶パネルの射出側に偏光板を配置するが、従来は有機物を含む有機偏光板が一般的に使われている。また、偏光板として無機材料で構成された無機偏光板を用いるものも知られている（例えば、特許文献２参照）。
【特許文献１】特開平９−１８５０１７号公報
【特許文献２】特開２００４−１４５１２６号公報
【発明の開示】
【発明が解決しようとする課題】
【０００３】
しかしながら、有機偏光板は、不要光を主に吸収によって取り除いているため、吸収により発生する熱エネルギー等が有機素子内の分子結合を切断し、当該有機偏光板の特性が経時劣化するという問題がある。
【０００４】
一方、無機偏光板は、不要光を主に反射によって取り除いているため、この際生じる反射光によって液晶パネル等が損傷を受けやすいという問題がある。このため、例えば、特許文献２においては、無機偏光板を像光の方向に対して斜めに設置することにより、反射光が液晶ライトバルブ等に戻らないようにしている。しかし、この場合、液晶ライトバルブと光合成用のプリズムとの距離が遠くなってしまう。このため、当該光学系が大きくなってしまう。また、液晶ライトバルブと光合成用のプリズムとの距離が遠いと、光軸の調整等を含む種々の調整が行い難くなるといった問題が生じる。
【０００５】
従って、本発明は、無機偏光板を用いながらも、反射光による液晶ライトバルブ等の光学素子の損傷を回避し、かつ、液晶ライトバルブと光合成用のプリズムとを近接して配置することができるプロジェクタを提供することを目的とする。
【課題を解決するための手段】
【０００６】
上記課題を解決するために、本発明に係るプロジェクタは、偏光状態の変換を利用した変調によって異なる波長領域の像光をそれぞれ形成する複数の光変調装置と、入射光の光軸方向に対して傾斜した複数の入射面を有し、これら複数の入射面からそれぞれ入射する異なる波長領域の像光を合成した合成光を形成するとともに、合成光を射出する射出面を有するプリズム状の合成光学系と、合成光学系の上記複数の入射面上の少なくとも１つに支持され、像光中の所定偏光成分を透過させるとともに残りを反射する偏光素子と、合成光学系によって得られた合成光を投影する投影光学系とを備える。尚、上記複数の入射面上には、像光中の所定偏光成分をそれぞれ透過させるとともに残りをそれぞれ反射する複数の偏光素子を設けることもできる。
【０００７】
偏光素子として、例えば無機偏光板等の反射偏光板を用いた場合、不要となる偏光成分は、主に反射によって除去される。このため、例えば光変調装置その他の光学部品後段の光路上に対向して反射偏光板を配置すると、当該反射された不要光が光変調装置等に損傷を与える可能性がある。これを避けるべく、本発明においては、各光変調装置からの像光を合成するための合成光学系が入射光の光軸方向に対して傾斜した複数の入射面を有しており、反射偏光板等である偏光素子は、合成光学系に設けた複数の入射面上にそれぞれ支持されている。光変調装置から射出される像光は、偏光素子に入射することにより、必要光である所定偏光成分が透過し、残りが不要光として反射されるが、この場合、像光である入射光が、偏光素子に対して斜めに入射するので、不要光である反射光が、光変調装置側に戻ってくることを回避できる。
【０００８】
また、上記プロジェクタは、当該合成光学系が、入射光の光軸方向に対して傾斜した複数の入射面を有し、これらの入射面上に偏光素子を支持するので、偏光素子のために大きな領域を確保する必要がなく、光変調装置を合成光学系に比較的近接して配置することが可能である。これにより、装置の小型化が図れるとともに設置時における偏光素子や光変調装置のアライメントが容易となる。
【０００９】
また、本発明の具体的な態様として、偏光素子が、無機物質により構成される無機偏光板である。この場合、無機偏光板を用いているので、偏光板の寿命をより長くすることができる。
【００１０】
また、本発明の具体的な態様として、偏光素子が、上記合成光学系の入射面に貼付されて固定されている。この場合、装置全体の小型化が図れる。また、反射偏光板の放熱効率を高め得る。
【００１１】
また、本発明の具体的な態様として、合成光学系が、直交する一対のダイクロイックミラー膜を内蔵し、上記複数の入射面からそれぞれ入射した像光に対して、一対のダイクロイックミラー膜によって、異なる波長領域ごとに反射及び透過のいずれかを選択的に行うことにより、像光の合成を行う。この場合、一対のダイクロイックミラー膜により像光の反射及び透過が行われ、ずれのない合成光が形成される。
【００１２】
また、本発明の具体的な態様として、上記複数の入射面及び射出面について、それぞれ入射光及び射出光の光軸に対する傾斜角度が略等しく、対向する面が互いに略平行である。この場合、入射した像光の光軸の方向が所定の対称性を有するものとなり、合成光学系による反射及び透過後において、各像光の光軸方向を簡易に合成光の光軸方向に一致させることができる。
【００１３】
また、本発明の具体的な態様として、上記傾斜角度が４５°である。この場合、反射光である不要光の光路を、省スペースで光変調装置等の設置位置から十分に離すことができる。
【００１４】
また、本発明の具体的な態様として、上記複数の光変調装置が、透過光によって像光を形成する透過型の光変調装置である。この場合、複数の光変調装置は、それぞれ各光変調装置の背面、すなわち各光変調装置のうち合成光学系に対向しない側の入射面より照明が行われる。
【００１５】
また、本発明の具体的な態様として、上記いずれかのプロジェクタが、白色光を光源光として発生する光源装置と、光源装置からの光源光を複数色の照明光として波長領域ごとに分割する光分割手段を含み、照明光を所定光路に沿って複数の光変調装置にそれぞれ導く光路変換光学系とをさらに備える。
【００１６】
光源光として白色光源を用いる場合、白色光を各色の色光に分割する必要がある。従って、光源光の光源装置の後段に光分割手段を設け、さらにこれによって得られた各色の色光の光路を変換する。これにより、各光変調装置を対応する色光で照明することができ、カラー映像の投射が可能になる。
【００１７】
また、本発明の具体的な態様として、上記光分割手段が、ダイクロイックミラー、クロスダイクロイックミラー及びダイクロイックミラー膜を内蔵するプリズムのうち少なくともいずれか１つを用いるものである。この場合、白色光を、各色光の波長領域に応じて分割することが可能となる。
【００１８】
また、本発明の具体的な態様として、上記プリズムが、ドーブプリズムを貼り合わせたものである。この場合、光源光の分割によって色光を形成することができるとともに、光路の折り曲げ等を含む光路の変換もあわせて行うことができる。
【発明を実施するための最良の形態】
【００１９】
図１は、本発明の一実施形態に係るプロジェクタを示す平面図である。本実施形態におけるプロジェクタ５０は、白色光を光源光として発生する光源装置８０と、光源装置８０からの光源光を各色の照明光として波長領域ごとに分割するとともに、各色の照明光の光路方向を適宜変換する光路変換光学系６０と、各色の照明光から各色の像光を形成するとともにこれら像光を合成して投射光を形成する投射光形成光学系７０と、投射光をスクリーン（不図示）へ投射する投影光学系である投射レンズ７とを備える。
【００２０】
光源装置８０は、光源１０とフライアイレンズ等を含む光均一化ユニット１１とを備える。光源１０は、例えば、高圧水銀ランプであり、像光形成の必要に足る光量を有する白色光を光源光ＳＬとして発生する。光源１０より発生した光源光ＳＬは、光均一化ユニット１１により、均一化される。
【００２１】
光路変換光学系６０は、クロスダイクロイックミラー１２と、反射用のミラー１５、１６、１７、１８と、リレーレンズ１９、２０と、プリズム２１と、フィールドレンズ２３ｒ、２３ｇ、２３ｂと、入射偏光フィルタ２４ｒ、２４ｇ、２４ｂとを備える。ここで、クロスダイクロイックミラー１２は、互いに直交する一対のダイクロイックミラー１３、１４を備え、プリズム２１は、ダイクロイックミラー膜である誘電体多層膜２２を備える。これらのクロスダイクロイックミラー１２とプリズム２１とは、光源光を赤、緑、青の３色の照明光に対応する波長領域ごとに分割する光分割手段としての機能をもつ。
【００２２】
より具体的に説明すると、光源装置８０から発生した光源光ＳＬは、まず、クロスダイクロイックミラー１２によって赤色光と残りの光とに分割される。つまり、クロスダイクロイックミラー１２の構成要素のうち、ダイクロイックミラー１３は、赤色波長領域に対する反射特性を有する一方、ダイクロイックミラー１４は、赤色波長より短い波長領域に対する反射特性を有する。これにより、光源光ＳＬは、赤色光ＬＲと、シアン光ＬＣとに分割される。
【００２３】
クロスダイクロイックミラー１２により分割された赤色光ＬＲは、ミラー１５、１６により反射し、光路上に導かれる。さらに、赤色光ＬＲは、フィールドレンズ２３ｒによりコリメート化され、入射偏光フィルタ２４ｒを透過することにより、偏光面が揃えられた照明光となる。
【００２４】
一方、クロスダイクロイックミラー１２により分割されたシアン光ＬＣは、ミラー１７、１８により反射され、適当な光路に導かれる。この際、リレーレンズ１９、２０により光路長の補正が行われる。この後、シアン光ＬＣは、プリズム２１に入射する。
【００２５】
プリズム２１は、２つのドーブプリズムによって形成されている。より具体的には、ドーブプリズムの通常の使用において反射面に相当する箇所（ここでは底面部分と呼ぶこととする）を互いに貼り合わせることによって形成された六角柱状の光学素子である。貼り合わされた両底面部分間には、誘電体多層膜２２が設けられており、ダイクロイックミラー膜として機能している。つまり、誘電体多層膜２２は、緑色波長領域に対する反射特性を有する一方、それより短い青色波長領域に対しては透過特性を有する。これにより、プリズム２１に入射したシアン光ＬＣは、誘電体多層膜２２を経て、緑色光ＬＧと青色光ＬＢとに分割され、個別にプリズム２１より射出される。
【００２６】
プリズム２１から射出された緑色光ＬＧと青色光ＬＢとは、それぞれ、フィールドレンズ２３ｇ、２３ｂによりコリメート化され、入射偏光フィルタ２４ｇ、２４ｂを透過することにより、偏光面が揃えられた照明光となる。
【００２７】
以上により、照明光として赤色光ＬＲ、緑色光ＬＧ、青色光ＬＢが形成される。形成された３色の色光ＬＲ、ＬＧ、ＬＢは、それぞれ投射光形成光学系７０の液晶パネル１ｒ、１ｇ、１ｂに入射する。投射光形成光学系７０では各色光ＬＲ、ＬＧ、ＬＢから投射光ＰＬが形成され（詳しくは後述）、投射レンズ７によって不図示のスクリーン上に投射され、スクリーン上に投影画像が形成される。
【００２８】
尚、本実施形態において、クロスダイクロイックミラー１２の位置を調整することにより、光路長の補正の必要がなくなればリレーレンズ１９、２０は不要とすることも可能である。また、リレーレンズ１９、２０の設計変更によって光路長の補正が可能であれば、クロスダイクロイックミラー１２及びミラー１５に代えてミラー１５の位置にダイクロイックミラー１４のみを配置することも可能である。
【００２９】
図２は、本発明の要部である投射光ＰＬの形成を説明する図であり、図１のプロジェクタ５０のうち、特に、投射光ＰＬを形成する投射光形成光学系７０と、投射光ＰＬをスクリーン（不図示）へ投射する投影光学系である投射レンズ７とを示している。
【００３０】
投射光形成光学系７０は、液晶パネル１ｒ、１ｇ、１ｂと、偏光面の方向を揃える偏光素子である無機偏光板２ｒ、２ｇ、２ｂと、クロスダイクロイックプリズム３とを備える。クロスダイクロイックプリズム３は、さらに、誘電体多層膜４、５と、入射面ＦＲ、ＦＧ、ＦＢと、射出面ＦＥとを備える。
【００３１】
各液晶パネル１ｒ、１ｇ、１ｂは、入射した照明光の強度分布を変調するための光透過型の光変調装置である。各液晶パネル１ｒ、１ｇ、１ｂは、それぞれ、図１の光路変換光学系６０によって形成された照明光である赤色光ＬＲ、緑色光ＬＧ、青色光ＬＢの変調を行う。３色の色光ＬＲ、ＬＧ、ＬＢは、各液晶パネル１ｒ、１ｇ、１ｂに電気的信号として入力された駆動信号或いは画像信号に応じて、画素単位でそれぞれ偏光状態が調整される。
【００３２】
無機偏光板２ｒ、２ｇ、２ｂは、それぞれ、各液晶パネル１ｒ、１ｇ、１ｂから射出される３色の色光ＬＲ、ＬＧ、ＬＢから所定の偏光方向の変調光を取り出す。この際、無機偏光板２ｒ、２ｇ、２ｂは、当該変調光以外の不要光を反射する。
【００３３】
クロスダイクロイックプリズム３は、六角柱状の光学素子であり、赤色光ＬＲ反射用の誘電体多層膜４と、青色光ＬＢ反射用の誘電体多層膜５とを直交させた一対のダイクロイックミラー膜を内蔵する。また、クロスダイクロイックプリズム３は、３色の色光ＬＲ、ＬＧ、ＬＢに対する入射面ＦＲ、ＦＧ、ＦＢと、３色の色光ＬＲ、ＬＧ、ＬＢの合成光を射出する射出面ＦＥとを備える。入射面ＦＲ、ＦＧ、ＦＢは、それぞれ、３色の色光ＬＲ、ＬＧ、ＬＢの光軸ＯＡに対し、４５°の傾斜を有している。同様に、射出面ＦＥは、投射光ＰＬの光軸ＯＡに対し、４５°の傾斜を有している。本実施形態では、特に、無機偏光板２ｒ、２ｇ、２ｂは、各入射面ＦＲ、ＦＧ、ＦＢに貼付されているものとする。尚、必要に応じて射出面ＦＥに対向してさらに偏光板６を設けることも可能である。この場合、偏光板６は、射出面ＦＥに貼り付けることができる。偏光板６により、クロスダイクロイックプリズム３による合成光の消光比が高められ、投射光ＰＬとなる。ただし、偏光板６がなくても十分な消光比が得られるのであれば偏光板６は不要である。また、必要に応じて偏光板６を半波長位相差板等に置き換えてもよい。
【００３４】
以下、図１及び図２に示すプロジェクタにおいて光源光ＳＬから投射光ＰＬが形成されるまでの過程について詳述する。光源装置８０において、光源１０より発生した光源光ＳＬは、光均一化ユニット１１によって波面分割・重畳されることにより光束の均一化が行われる。均一化された光源光ＳＬは、光路変換光学系６０において、クロスダイクロイックミラー１２により、赤色光ＬＲとシアン光ＬＣとに分割される。さらに、シアン光ＬＣは、プリズム２１により緑色光ＬＧと青色光ＬＢとに分割される。このように分割された３色の色光ＬＲ、ＬＧ、ＬＢは、それぞれ、各液晶パネル１ｒ、１ｇ、１ｂに入射し、これに電気的信号として入力された駆動信号或いは画像信号に応じて、画素単位でそれぞれ偏光状態が調整されることによって像光が形成される。各液晶パネル１ｒ、１ｇ、１ｂから射出された３色の色光ＬＲ、ＬＧ、ＬＢは、入射面ＦＲ、ＦＧ、ＦＢからクロスダイクロイックプリズム３へそれぞれ入射する。この際、各入射面ＦＲ、ＦＧ、ＦＢに貼付されている無機偏光板２ｒ、２ｇ、２ｂにより、不要光が反射され、必要光のみがクロスダイクロイックプリズム３内に入射する。ここで、各入射面ＦＲ、ＦＧ、ＦＢは、それぞれ、３色の色光の光軸ＯＡに対して、垂直ではなく、４５°傾いている。これにより、３色の色光ＬＲ、ＬＧ、ＬＢは、屈折して入射する。入射後、赤色光ＬＲは誘電体多層膜４で反射され、緑色光ＬＧは誘電体多層膜４、５をともに透過し、青色光ＬＢを誘電体多層膜５で反射される。このような透過又は反射後、３色の色光ＬＲ、ＬＧ、ＬＢは光路が同一となり合成光が形成される。形成された合成光は、射出面ＦＥから射出される。この際、合成光は、射出面ＦＥに偏光板６が貼付されていれば、偏光板６によって消光比が高められる。射出面ＦＥ透過後の合成光は投射光ＰＬとして投射レンズ７によって不図示のスクリーン上に投射され、スクリーン上に投影画像が形成される。
【００３５】
以上の動作で、無機偏光板２ｒ、２ｇ、２ｂにおいて、３色の色光ＬＲ、ＬＧ、ＬＢのうち、不要光が反射されて外部に排出され、必要光のみが透過して、入射面ＦＲ、ＦＧ、ＦＢに入射する。この際、無機偏光板２ｒ、２ｇ、２ｂがそれぞれ３色の色光の光軸ＯＡに対して傾斜している（この場合、無機偏光板２ｒ、２ｇ、２ｂは入射面ＦＲ、ＦＧ、ＦＢに貼付されているため光軸ＯＡに対する傾斜角度は同じく４５°である。）ため、反射光である不要光は光軸ＯＡに垂直な方向に折り曲げられ、液晶パネル１ｒ、１ｇ、１ｂ等に戻り光として影響を及ぼすことがない。一方、無機偏光板２ｒ、２ｇ、２ｂは、クロスダイクロイックプリズム３に貼付されており、投射光形成光学系７０を比較的狭い空間に収容することができ、クロスダイクロイックプリズム３と各液晶パネル１ｒ、１ｇ、１ｂとの距離を短く保てる。これにより、光軸等の調節を行うことが容易となる。また、無機偏光板２ｒ、２ｇ、２ｂは、貼付されていることにより、放熱効果が高まることが期待される。
【００３６】
尚、本実施形態において、各入射面ＦＲ、ＦＧ、ＦＢ及び射出面ＦＥの光軸ＯＡに対する傾斜角度を４５°としたが、傾斜角度はこれに限らない。無機偏光板２ｒ、２ｇ、２ｂからの反射光が当該光学系の各光学部品に影響を与えることなく排出されることが可能な範囲において、傾斜角度は適宜調整可能である。但し、傾斜角度に応じて、屈折、透過及び反射後の３色の色光ＬＲ、ＬＧ、ＬＢがずれることなく合成光を形成するようにクロスダイクロイックプリズム３の形状を変形させる必要がある。具体的には、図２におけるクロスダイクロイックプリズム３を光軸ＯＡの方向に関して延長又は短縮させることによって可能となる。
【００３７】
また、本実施形態においては、偏光板として全ての照明光の光路上に無機偏光板２ｒ、２ｇ、２ｂを用いたが、無機偏光板２ｒ、２ｇ、２ｂを用いなくても各光学部品の寿命が十分に保てるのであれば、他の偏光板を用いることも可能である。例えば、青色光の光路上にのみ無機偏光板２ｂを設置し、赤色光及び緑色光の光路上には、無機偏光板２ｒ、２ｇの代わりに有機偏光板を設置するということも可能である。また、この場合、液晶パネル１ｒ、１ｇは、当該有機偏光板に対向して平行に配置してもよい。
【００３８】
本実施形態において、各液晶パネル１ｒ、１ｇ、１ｂは、透過型の光変調装置であり、透過光である各色の照明光が各液晶パネル１ｒ、１ｇ、１ｂの光路上前段側から照射されることによって像光を形成されている。しかし、本発明は、透過型の光変調装置に対する使用に限られるものではない。例えば、反射型の液晶パネル等の各光変調装置に対しても用いることが可能である。反射型の液晶パネル等を用いる場合、無機偏光板２ｒ、２ｇ、２ｂの不要光の光路側から各色の照明光を入射させることになる。
【００３９】
尚、本実施形態において、光分割手段として、クロスダイクロイックミラー１２及びプリズム２１を用いたが、光源光を各色に分割する光分割手段はこれに限られない。例えば、従来のように複数のダイクロイックミラーを組み合わせることによっても分割は可能である。
【００４０】
また、クロスダイクロイックプリズム３とプリズム２１とが同一形状であるときは、例えば、プリズム２１を下段、クロスダイクロイックプリズム３を上段として重ね合わせた２階建て構造を持つ１つのプリズムにより、双方の機能を一度に果たすことも可能である。この場合、クロスダイクロイックミラー１２等の光分割手段や新たにミラー等各種光路変換部材を用いて、各色の光路を上下方向に関しても制御を行う。これにより下段であるプリズム２１にシアン光ＬＣを入射させ、プリズム２１から射出された緑色光ＬＧの光路と青色光ＬＢの光路とをそれぞれミラー等により光路を折り曲げ、上段であるクロスダイクロイックプリズム３の緑色光ＬＧの光路と青色光ＬＢの光路上に導く。以上によりプロジェクタ５０と同様の機構が確保される。
【００４１】
また、本実施形態において、光源を白色光としているが、光源はこれに限られない。例えば、光源として、発光ダイオードを用いることも可能である。この場合、例えば、赤色、緑色及び青色の発光ダイオードを用いることにより、各色の照明光を形成してもよい。尚、この場合、光分割手段は不要となる。
【図面の簡単な説明】
【００４２】
【図１】本発明の一実施形態に係るプロジェクタを示す平面図である。
【図２】主に投射光形成光学系構造を説明する図である。
【符号の説明】
【００４３】
５０…プロジェクタ、  ８０…光源装置、  ６０…光路変換光学系、  ７０…投射光形成光学系、  ７…投射レンズ、  １０…光源、  １１…光均一化ユニット、  １２…クロスダイクロイックミラー、  ２１…プリズム、  １５、１６、１７、１８…ミラー、  １９、２０…リレーレンズ、２３ｒ、２３ｇ、２３ｂ…フィールドレンズ、  ２４ｒ、２４ｇ、２４ｂ…入射偏光フィルタ、  １ｒ、１ｇ、１ｂ…液晶パネル、  ２ｒ、２ｇ、２ｂ…無機偏光板、  ３…クロスダイクロイックプリズム、  ４、５…誘電体多層膜、  ６…偏光板、  ＦＲ、ＦＧ、ＦＢ…入射面、  ＦＥ…射出面、  ＳＬ…光源光、  ＬＲ…赤色光、  ＬＧ…緑色光、  ＬＢ…青色光、  ＬＣ…シアン光、  ＰＬ…投射光
【図１】
2006058341.tif 000003
【図２】
2006058341.tif 000004